(57)【要約】      （修正有）【課題】陽圧の居室からの空気の逆流に起因してデフロスト運転後の装置の通常運転が誤って禁止されるのを防止することができるヒートポンプ式空気調和装置の運転方法を提供する。【解決手段】送風機３と、熱交換器１と、この熱交換器１の下流側に配設された加湿器２と、を備えており、前記加湿器２の凍結を防止するために機内吸込空気の温度を検出する第１温度センサ５が前記熱交換器１の上流側に配設されるとともに、機外吹出空気の温度を検出する第２温度センサ７が前記熱交換器１の下流側に配設されてなり、通常運転とデフロスト運転とを行うヒートポンプ式空気調和装置Ａの運転方法。通常運転時には、前記第１温度センサ５の検出温度が所定の設定値より小さい場合に装置Ａの運転を停止させ、デフロスト運転終了時には、前記第１温度センサ５及び第２温度センサ７の少なくとも一方の検出温度が前記所定の設定値を超えている場合に装置Ａを通常運転させる。【選択図】図１
2014035147.tif 000002
【特許請求の範囲】
【請求項１】
送風機（３）と、熱交換器（１）と、この熱交換器（１）の下流側に配設された加湿器（２）と、を備えており、前記加湿器（２）の凍結を防止するために機内吸込空気の温度を検出する第１温度センサ（５）が前記熱交換器（１）の上流側に配設されるとともに、機外吹出空気の温度を検出する第２温度センサ（７）が前記熱交換器（１）の下流側に配設されてなり、通常運転とデフロスト運転とを行うヒートポンプ式空気調和装置（Ａ）の運転方法であって、
通常運転時には、前記第１温度センサ（５）の検出温度が所定の設定値より小さい場合に装置（Ａ）の運転を停止させ、
デフロスト運転終了時には、前記第１温度センサ（５）及び第２温度センサ（７）の少なくとも一方の検出温度が前記所定の設定値を超えている場合に装置（Ａ）を通常運転させることを特徴とする、ヒートポンプ式空気調和装置（Ａ）の運転方法。
【請求項２】
前記第１温度センサ（５）が、前記熱交換器（１）の上流側に配設された送風機（３）の吸込側に配設されており、前記第２温度センサ（７）が、前記加湿器（２）の下流側に配設されている、請求項１に記載のヒートポンプ式空気調和装置（Ａ）の運転方法。
【請求項３】
前記ヒートポンプ式空気調和装置（Ａ）が全外気方式である、請求項１又は請求項２に記載のヒートポンプ式空気調和装置（Ａ）の運転方法。
【発明の詳細な説明】
【技術分野】
【０００１】
本発明はヒートポンプ式空気調和装置の運転方法に関する。
【背景技術】
【０００２】
特に冬季における室内の空気が乾燥しすぎるのを防止するために、熱交換器で加熱された空気に湿分を与える加湿器を備えた空気調和装置がある。かかる空気調和装置において、厳寒期における低温の外気によって加湿用の水が凍結して加湿器などが破損するのを防止するために種々の対策が提案されている（例えば、特許文献１〜２参照）。
【０００３】
特許文献１には、給気と排気との間で熱交換する全熱交換型の熱交換器を備えた空気調和装置が開示されており、この熱交換器内で結露した水滴の凍結、及び当該熱交換器の室内側に配設されている加湿エレメントの凍結を防止するために、機内に吸引する外気の温度を検出する温度センサの検出値に応じて排気風量を給気風量よりも多くする風量制御や、加湿エレメントから水を抜く給排水制御処理を行うことが記載されている。
【０００４】
また、特許文献２には、外調機を備えた空気調和装置が開示されており、建物内に配設された加湿装置で噴霧される水又は蒸気の結露や凍結を防止するために、建物内で発生した熱で昇温された循環空気を当該加湿装置に流すことが記載されている。
【先行技術文献】
【特許文献】
【０００５】
【特許文献１】特開平１１−３０４２０６号公報
【特許文献２】特開２００２−１５６１４８号公報
【発明の概要】
【発明が解決しようとする課題】
【０００６】
ところで、ヒートポンプ式の空気調和装置では、冬季運転時に室外機の熱交換器に付着した霜によって運転効率が低下するのを防止するために、通常運転とともに定期的にデフロスト運転が行われるが、加湿器の凍結防止のために外気温度に応じて装置の運転を制御する方式において、デフロスト運転後に装置を再起動して通常運転させることができないことがあった。
【０００７】
図２は、全外気方式のヒートポンプ式空気調和装置の断面説明図であり、図２において、熱交換器１１の下流側に加湿器１２が配設されており、送風機１３の吸込側にダクト１４を介して機内に導入された外気の温度を検出する吸込温度センサ１５が配設されている。なお、図２において、符号１６及び１７は、それぞれエアフィルター及び吹出温度センサである。通常運転時には、前記吸込温度センサ１５の検出値が所定の設定値（例えば、−５℃）よりも低くなったときに、加湿器１２内の水の凍結を防止するために装置の運転が停止される。
【０００８】
図２に示される空気調和装置において、送風機１３を停止させてデフロスト運転を行った場合、デフロスト運転中に陽圧の居室から空気が逆流することがある（白抜きの矢印参照）。この空気が熱交換器１１を通過することで冷却され、冷却されて前記所定の温度よりも低くなった空気を前記吸込温度センサ１５が検出すると、デフロスト運転終了後に装置を運転させようとしても、起動直後に凍結防止制御に入ってしまい、装置を通常運転させることができない。
【０００９】
本発明は、このような事情に鑑みてなされたものであり、陽圧の居室からの空気の逆流に起因してデフロスト運転後の装置の通常運転が誤って禁止されるのを防止することができるヒートポンプ式空気調和装置の運転方法を提供することを目的としている。
【課題を解決するための手段】
【００１０】
（１）本発明のヒートポンプ式空気調和装置の運転方法（以下、単に「運転方法」ともいう）は、送風機と、熱交換器と、この熱交換器の下流側に配設された加湿器と、を備えており、前記加湿器の凍結を防止するために機内吸込空気の温度を検出する第１温度センサが前記熱交換器の上流側に配設されるとともに、機外吹出空気の温度を検出する第２温度センサが前記熱交換器の下流側に配設されてなり、通常運転とデフロスト運転とを行うヒートポンプ式空気調和装置の運転方法であって、
通常運転時には、前記第１温度センサの検出温度が所定の設定値より小さい場合に装置の運転を停止させ、
デフロスト運転終了時には、前記第１温度センサ及び第２温度センサの少なくとも一方の検出温度が前記所定の設定値を超えている場合に装置を通常運転させることを特徴としている。
【００１１】
本発明の運転方法では、機内吸込空気の温度を検出する第１温度センサ、及び機外吹出空気の温度を検出する第２温度センサ両方の検出値に基づいて、加湿器の凍結防止のために装置の運転を停止させるか否かの判断を行っており、両温度センサの少なくとも一方の検出温度が所定の設定値を超えている場合には装置を通常運転させることにしている。したがって、従来の運転方法では、第１温度センサの検出値だけに基づいて凍結防止の制御を行っていたので、デフロスト運転終了後に陽圧の居室からの空気の逆流に起因して当該第１温度センサが前記所定の設定値より低くなり、装置が通常運転できないことがあったが、本発明では、第２温度センサの検出値（熱交換器を通過する前の居室の空気温であるので、通常は、前記所定の設定値よりも高い）も判断材料としており、この検出値が前記所定の設定値を超えているときは、加湿器の凍結の恐れはないとして装置を通常運転させる。これにより、陽圧の居室からの空気の逆流に起因してデフロスト運転後の装置の通常運転が誤って禁止されるのを防止することができる。
【００１２】
（２）上記（１）の運転方法において、前記第１温度センサを、前記熱交換器の上流側に配設された送風機の吸込側に配設し、前記第２温度センサを、前記加湿器の下流側に配設することができる。
【００１３】
（３）上記（１）又は（２）の運転方法において、前記ヒートポンプ式空気調和装置を全外気方式とすることができる。
【発明の効果】
【００１４】
本発明の運転方法によれば、陽圧の居室からの空気の逆流に起因してデフロスト運転終了後の装置の通常運転が誤って禁止されるのを防止することができる。
【図面の簡単な説明】
【００１５】
【図１】本発明の運転方法により運転される空気調和装置の一例の断面説明図である。
【図２】居室からの空気の逆流を示す空気調和装置の断面説明図である。
【発明を実施するための形態】
【００１６】
以下、添付図面を参照しつつ、本発明の運転方法の実施の形態を詳細に説明する。図１は、本発明の運転方法により運転される空気調和装置Ａの一例の断面説明図である。この空気調和装置Ａは、居室からのリターンエアを循環利用せずに外気だけを加熱、冷却して居室に供給する全外気方式の空調システムにおける室内機である。空気調和装置ＡのケーシングＣ内には、通常運転時における空気の流れの上流側（外気の吸込口側を上流側とする）から、送風機３、熱交換器１及び加湿器２が、この順に配設されている。加湿器２としては、水噴霧式や蒸発式など適宜の方式のものを採用することができる。
【００１７】
熱交換器１の上流側、より詳細には送風機３の上流側のケーシングＣの壁部に、機内吸込空気の温度を検出する吸込温度センサ（第１温度センサ）５が配設されている。また、熱交換器１の下流側、より詳細には加湿器２の下流側のケーシングＣの壁部に、機外吹出空気の温度を検出する吹出温度センサ（第２温度センサ）７が配設されている。なお、簡単のために図示していないが、ケーシングＣ内には、熱交換器１から滴下するドレンを溜めるためのドレンパンや、当該ドレンパンに溜まったドレンを機外に排出するドレンポンプなどが配設されている。
【００１８】
前述した構成の空気調和装置Ａの冬季の通常運転時では、吸込側ダクト４内に配設されたエアフィルター６で除塵された外気は、熱交換器１で加熱され、必要に応じて加湿器２で加湿され、吹出側ダクト８を経由して居室に供給される。この冬季の通常運転時において、前記吸込温度センサ５が所定の設定値（例えば、−５℃）より低い温度を検出すると、加湿器２の凍結、すなわち加湿器２内の水分の凍結を防止するために空気調和装置Ａの運転が停止される。
【００１９】
空気調和装置Ａのデフロスト運転時には、冷媒サイクルが切り替えられ、熱交換器１が蒸発器として機能するため、居室へ冷風が流れ込むのを防ぐべく送風機３の運転が停止される。この場合に、居室が陽圧であると、図２の白抜き矢印で示されるように、当該居室からの空気がケーシングＣ内に逆流することがある。そして、逆流した空気が熱交換器１で冷却され、この冷却された空気が吸込温度センサ５付近にまで達すると、当該吸込温度センサ５は、この冷風の温度を検出する。
【００２０】
従来の運転方法では、吸込温度センサ５の検出値だけに基づいて加湿器２の凍結防止の制御を行っていたので、前記冷風の温度が凍結防止のために設定されている所定の設定値（例えば、−５℃）よりも低いと、起動直後に凍結防止制御に入ってしまい、装置を通常運転させることができない。
【００２１】
これに対し、本実施の形態では、吸込温度センサ５の検出値だけでなく、吹出温度センサ７の検出値（熱交換器１を通過する前の居室の空気温であるので、通常は、前記所定の設定値よりも高い）も判断材料としており、少なくとも一方の検出値が前記所定の設定値を超えているときは、加湿器２の凍結の恐れはないとして装置を起動して通常運転させる。これにより、陽圧の居室からの空気の逆流に起因してデフロスト後の装置の起動が誤って禁止されるのを防止することができる。
【符号の説明】
【００２２】
１      熱交換器
２      加湿器
３      送風機
５      吸込温度センサ（第１温度センサ）
７      吹出温度センサ（第２温度センサ）
Ａ      空気調和装置
Ｃ      ケーシング
【図１】
2014035147.tif 000003
【図２】
2014035147.tif 000004